(57)【要約】【課題】特殊景品交換代金の準備が合理的に行えるようにする。【解決手段】特殊景品自動払出機や景品交換レジにおける特殊景品払い出しデータ（景品の個数）を売上金入金処理装置に取り込み、そのデータに基づいて売上金の入金処理を行う。【選択図】図６
2005261818.tif 000002
【特許請求の範囲】
【請求項１】
処理すべき紙幣を一括で受け入れる紙幣受入部と、
該紙幣受入部に受け入れた紙幣を１枚ずつ繰り出して搬送する繰出搬送部と、
該繰出搬送部の下流側に位置し、前記繰出搬送部によって搬送される紙幣の金種を識別する金種識別部と、
該金種識別部の下流側に位置し、搬送される紙幣を使途別に仕分ける仕分部と、
該仕分部によって仕分けられた紙幣を各々収納する複数の収納部と、
使途別の金額情報を記憶可能な記憶部と、
外部との通信によって前記金額情報を取得し、前記記憶部に記憶させる金額情報取得手段とを有し、
前記記憶部に記憶された前記使途別の金額情報に基づいて、前記紙幣受入部で受け入れた紙幣を所定の収納部に仕分け収納する売上金入金処理装置であって、
前記使途別の金額情報のうち少なくとも特殊景品交換代金については、前記金額情報取得手段により外部からその金額情報を取得するとともに、該金額情報に基づいて所定の収納部に仕分け収納することを特徴とする売上金入金処理装置。
【請求項２】
前記特殊景品交換代金についての金額情報は、金種ごとの紙幣の枚数であることを特徴とする請求項１に記載の売上金入金処理装置。
【請求項３】
前記金額情報取得手段が取得した金額情報は特殊景品の個数情報であり、該個数情報を特殊景品交換代金の額に換算する金額換算手段をさらに備え、該換算された金額情報に基づいて所定の収納部に仕分け収納することを特徴とする請求項１に記載の売上金入金処理装置。
【発明の詳細な説明】
【技術分野】
【０００１】
本発明はパチンコ店等の遊技店の店舗内に設置される紙幣の売上金入金処理装置に関するもので、特に翌日営業用の特殊景品交換代金の準備が合理的に行える売上金入金処理装置に関する。
【背景技術】
【０００２】
パチンコ店等の遊技店での現金の運用は以下のようになっている。
遊技店での一日の営業が終了した段階で、翌日の営業に備えて、店舗内の各所に分散して存在する紙幣を回収し、(1)両替機／遊技カード販売機に用いる必要な枚数の千円札、(2)特殊景品を買い取るために用いる必要な枚数の万円札／五千円札／千円札、(3)粗利益、に仕分けする作業を行っている。ここで店舗内に存在する紙幣とは、台間玉貸機／台間メダル貸機、遊技カード（プリペイドカード）販売機、両替機に存在するものを指している。
店員がこれらから回収した紙幣を金種毎に分類し、各金種毎に枚数を（例えば紙幣計数機を利用して、）計数して、上記(1)〜(3)に仕分けしている。なお、図４に示すように、台間玉貸機、遊技カード販売機、両替機はホールコンピュータに通信接続されており、各々の機器に存在する紙幣の金額はホールコンピュータで把握できるようになってはいるが、金種明細までは把握できていないのが実情である。
【０００３】
上述した従来の技術では、計数作業自体は紙幣計数機の利用により若干合理化されてはいるが、人手による金種分類が不可欠であり多大な労力を必要としている。特に問題となるのは、特殊景品を買い取るための特殊景品交換代金の準備作業である。この特殊景品交換代金は、最終的には遊技客に渡る関係上、その金種は、万円札、五千円札、千円札を含むことが重要とされ、しかも各金種に対しての必要枚数が予め指示される性格のものである。
そこで、かかる特殊景品交換代金の準備作業の効率化を図るため、金種毎の枚数を指定入力することによって自動的に特殊景品交換代金の準備を行うことのできる売上金入金処理装置が本願の出願人によって提案されている（特許文献１参照。）。
【０００４】
しかしながら、上記の売上金入金処理装置では、その都度金種毎の枚数指定入力が必要であり、金種分の入力が伴い操作が煩わしいという問題があった。
また、かかる従来の売上金入金処理装置における操作の煩わしさを解消するために、金種毎の枚数指定入力をせずとも、合計金額のみを入力するだけで、自動的に金種毎の指定枚数を算出し、それに従って特殊景品交換代金の準備を行うことのできる売上金入金処理装置が本願の出願人によって提案されている（特許文献２参照。）。
【特許文献１】特開２００４−５４４５６号公報
【特許文献２】特願２００３−２８４８６８号明細書
【発明の開示】
【発明が解決しようとする課題】
【０００５】
確かに、上記特許文献１又は２に記載の売上金入金処理装置を用いれば、特殊景品交換代金の準備作業を手作業で行わなくても済むため、従来に比べればホール従業員の作業負担は減少する。
しかしながら、前記特殊景品は遊技客が獲得した玉数に応じて手渡されるので、遊技店から流出することになる。そして特殊景品交換代金はこの流出した特殊景品を特殊景品交換所から買い戻す性格のものなので、流出した数量を把握しておかないと特殊景品交換代金の額を決定できないことになる。このため従来は、流出量の管理を手作業にて行っていたが、その煩雑さと間違いが生じやすいという問題があった。
本発明は、上述のような事情に鑑み為されたものであり、顧客に払い出されて流出した特殊景品の買戻し資金（特殊景品交換代金）の準備を合理的に行えるようにした売上金入金処理装置を提供することを目的とする。
【課題を解決するための手段】
【０００６】
本発明はパチンコ店等の遊技店の店舗内に設置される紙幣の売上金入金処理装置に関し、本発明の上記目的は、処理すべき紙幣を一括で受け入れる紙幣受入部と、該紙幣受入部に受け入れた紙幣を１枚ずつ繰り出して搬送する繰出搬送部と、該繰出搬送部の下流側に位置し、前記繰出搬送部によって搬送される紙幣の金種を識別する金種識別部と、該金種識別部の下流側に位置し、搬送される紙幣を使途別に仕分ける仕分部と、該仕分部によって仕分けられた紙幣を各々収納する複数の収納部と、使途別の金額情報を記憶可能な記憶部と、外部との通信によって前記金額情報を取得し前記記憶部に記憶させる金額情報取得手段とを有し、前記記憶部に記憶された前記使途別の金額情報に基づいて、前記紙幣受入部で受け入れた紙幣を所定の収納部に仕分け収納する売上金入金処理装置であって、
前記使途別の金額情報のうち少なくとも特殊景品交換代金については、前記金額情報取得手段により外部からその金額情報を取得するとともに、該金額情報に基づいて所定の収納部に仕分け収納することを特徴とする売上金入金処理装置によって達成される。
【０００７】
また、本発明の上記目的は、前記特殊景品交換代金についての金額情報を、金種ごとの紙幣の枚数とすることによって、より効果的に達成される。
さらに、本発明の上記目的は、前記金額情報取得手段が取得した金額情報を特殊景品の個数情報とし、該個数情報を特殊景品交換代金の額に換算する金額換算手段をさらに備え、該換算された金額情報に基づいて所定の収納部に仕分け収納することによって、より効果的に達成される。
【発明の効果】
【０００８】
本発明に係る売上金入金処理装置によれば、流出した特殊景品の数に基づいて特殊景品交換代金を用意できるので合理的となる。
また、ホールからの特殊景品出庫データをもとに計算したデータを外部より受けて特殊景品交換代金の仕分けを行っているため、仕分け用の設定データの集計・入力ミスがなくなるという効果がある。
【発明を実施するための最良の形態】
【０００９】
本発明に係る売上金入金処理装置について、図面を参照しつつ説明する。
図１は、本発明の売上金入金処理装置の外観を示すものであり、同図中、１は紙幣受入部、２は金額情報入力部である。
【００１０】
図２は、前記売上金入金処理装置の内部を示す断面である。同図中、１は紙幣受入部、２は入力部であり、使途別の金額情報その他の情報を入力する働きをするものである。３は繰出搬送部、４は金種識別部、５は仕分部、６は結束部、７は両替機／遊技カード販売機用釣り銭用紙幣の束収納部、８は特殊景品交換代金用紙幣のバラ収納部、９は粗利益収納部としての紙幣カセット、１０は紙幣カセットと接続される一時保留部である。
【００１１】
図３は、前記売上金入金処理装置の制御系を示すブロック図である。制御部１１は、入力部２、金種識別部４、仕分部５、結束部６及び通信接続部１３を所定の制御プログラムに従って制御するものである。また、制御部１１は、演算制御を行うＣＰＵ１１１と、前記制御プログラムが格納されているＲＯＭ１１２と作業メモリであるＲＡＭ１１３を含むものである。さらに、制御部１１には記憶部１２が接続されており、取り込んだ紙幣の金種、枚数、格納場所等のデータを記憶するためのものである。ここで、同図中の通信接続部１３は、遊技店に設置されるホールコンピュータ、その他の外部機器とオンライン接続するためのものである。
【００１２】
図４は、遊技店に設置される両替機及びその他の機器と、ホールコンピュータとのオンライン接続状況を示す図である。特殊景品自動払出機や景品交換レジにおける特殊景品払い出しデータ（景品の個数）がホールコンピュータに吸い上げられ、ホールコンピュータにて集計された特殊景品の払出し個数や該個数に相当する金額情報が、売上金入金処理装置に送信されるようになっている。
上述のように、従来の売上金入金処理装置では、例えば、特殊景品交換代金を準備する場合、その日の特殊景品の払出し数を手作業で集計し、それから金額を算出して、必要な紙幣の金種及び枚数を割り出し、入力部２から金種及び枚数の両方を指定する必要があったが、本発明では、特殊景品自動払出機や景品交換レジにおける特殊景品払い出しデータ（景品の個数）がホールコンピュータに吸い上げられ、ホールコンピュータにて集計された特殊景品の払出し個数や該個数に相当する金額情報が、売上金入金処理装置に送信されるようになっているので、その必要がない。
【００１３】
図５は、前記特殊景品自動払出機や景品交換レジにおける特殊景品払い出しデータ（景品の個数）から、必要となる特殊景品交換代金を算出する過程を説明するための図であり、具体例に基づいて説明する。
遊技客Ａが玉数2150個を獲得した時点で遊技を終了したとする。この遊技客Ａは獲得した玉を玉計数機まで運んで店員立ち会いの基で玉計数機に投入する。計数終了後に玉計数機に備えられているレシート発行部から発行される獲得玉数が印字されたレシートを店員から受け取る。遊技客Ａがこのレシートを持って景品交換レジまで足を運び、レジ係に特殊景品との交換を望む旨を伝えたとする。
特殊景品には大景品と小景品の２種類があり、その単価が各々玉数換算で大景品が500個、小景品が125個となっているとして説明する。
【００１４】
レジ係が受け取ったレシートを景品交換レジのスキャナにかざして読み取らせると、その表示部に上記換算に基づいての演算結果である、2150÷500＝4余り150個、この150個に対し150÷125＝1余り25個より、大景品4と小景品1を表示させ、遊技客Ａに確認を促して、その大景品4個と小景品1個、及び玉25個分に相当する一般景品（菓子等）を手渡す。ここで、大景品＝2000円、小景品＝500円であるとする。このようにして遊技客Ａは店舗外に設置されている特殊景品買い取り所で前記特殊景品を買い取って貰い現金８千５百円を五千円札１枚と千円札３枚（及び５百円硬貨１枚）の組合せで受け取る。これが図５における「取引No.1」である。
【００１５】
続いて遊技客Bが玉数5380個を獲得したとすれば、同様のステップを踏んで、5380÷500＝10余り380個、この380個に対し、380÷125＝3余り5個より、大景品10と小景品3を表示させ、遊技客Bに確認を促して、その大景品10個と小景品3個、及び玉5個分に相当する一般景品（菓子等）を手渡す。同様にして遊技客Bは特殊景品買い取り所で現金２万１千５百円を万円札２枚と千円札１枚（及び５百円硬貨１枚）の組合せで受け取るこれが図５における「取引No.2」である。
【００１６】
このようにして、その日に獲得した玉を特殊景品に交換した顧客が300人いたとすると、300通りの取引が発生する。そして、各取引ごとに金額及び枚数が最小となる金種ごとの枚数（図５の右側の表）を算出する。このようにして、その日に全顧客に支払われた現金の金種ごとの合計枚数が算出される。具体的には、万円札＝280枚、五千円札＝53枚、千円札＝128枚、５百円硬貨＝146枚である。しかしながら、本発明に係る売上金入金処理装置の実施例では硬貨は扱わないので、５百円硬貨146枚分を紙幣に換算した分（計７万３千円＝万円札７枚と千円札３枚）を合計枚数に加算する。これが、図５の右側の表に一番したにある「準備枚数」となる。この「準備枚数」が通信によって売上金入金処理装置に送信され、前記記憶部１２にデータが格納される。
ここで、この日の特殊景品の払い出し総額が\3,266,000であるから、万円札326枚と千円札６枚で特殊景品交換代金を準備しても同じと思われがちであるが、この特殊景品交換代金は景品買取所を通じて顧客に直接渡される金であるので、様々な金種で用意することが必要となる。そこで、各取引ごとに紙幣の枚数を算出して集計する必要があるのである。
【００１７】
なお、ホールコンピュータからは各取引ごとの景品の個数若しくは合計金額（図５の左側の表）のデータのみを送信し、それを受信した売上金入金処理装置側で金種ごとの枚数（図５の右側の表）を算出するようにしてもよい。その算出は制御部１１において行う。
図６は、入力された使途別の金額及び金種別の内訳データにもとづいて、売上金の入金処理を行い、翌日の店内準備金及び特殊景品交換代金を準備するためのフローチャートであり、以下、この図に基づいて詳細に説明する。なお、入金処理された結果は図７の表のようになるが、入力部２から入力されるのは店内準備金の額（Ａ）（千円札の枚数）であり、特殊景品交換代金（Ｂ）は記憶部１２から読み出される。
【００１８】
まず、入力部２から店内準備金の額（Ａ）（千円札の枚数）を入力するとともに、記憶部１２から特殊景品交換代金（Ｂ）のデータを読み出す（ステップＳ１）。
次に、両替機、遊技カード販売機、台間玉貸機から回収した紙幣を一括で、紙幣受入部１に投入する（ステップＳ２）。以上の操作が完了後にスタートボタンを押下する（ステップＳ３）。スタートボタン押下に伴い処理が開始されて、最下層の紙幣から順に繰り出され、金種識別部を通って金種が判別され、使途別の仕分けが行われる（ステップＳ４）。
金種判定の結果、千円札である場合は、結束部６に送られて、計数値が記憶部１２に記憶される（ステップＳ５）。このようにして100枚に達すると繰出搬送が停止され、結束された上で束収納部７に送られるとともに、結束部にある千円札の枚数値もリセットされる（ステップＳ６）。このように、千円札については、店内準備金の額（Ａ）（千円札1700枚＝17束）に達するまで結束処理が行われることになる。
【００１９】
一方、金種判定の結果が千円札以外（五千円札若しくは万円札）であった場合は、バラ収納部８に送られ、金種と計数値が記憶される（ステップＳ７）。
また、束収納部７にある千円札の束が17束になった以降の千円札は、バラ収納部８へ送られ、金種と計数値が記憶される（ステップＳ８）。
このようにして、バラ収納部８にある各金種ごとの枚数が、読み込まれた特殊景品交換代金用の枚数（万円札＝287枚、五千円札＝53枚、千円札＝131枚）に達すると、それ以降の各紙幣は紙幣カセット９（一時保留部１０でも可）に送られ、金種と計数値が記憶される（ステップＳ９）。この処理は、紙幣受入部１に紙幣がなくなるまで繰り返される。最終的に紙幣カセット９に残った分が、その日の営業における粗利益となる。
【００２０】
なお、紙幣受入部１に投入される紙幣は、金種の順番がランダムとなることが予想されるので、必ずしも店内準備金、特殊景品交換代金、粗利益の順で進むわけではない。
紙幣カセット９は、店舗と委託関係のある外部の警備会社の警備員が扱う運用とされるので、責任分担を明確化するために、いきなり紙幣カセット９に送るのではなく、紙幣カセット９の上方に位置する一時保留部１０に一旦送り、確認後に、一時保留部１０から紙幣カセット９に移すような運用にしてもよい。
【００２１】
なお、本実施例では５百円硬貨を扱わないので、実際の運用では、翌日73,000円分の紙幣を銀行等で146枚の５百円硬貨に両替するか、店内にある５百円硬貨と両替して景品買取業者に支払うことになる。また、硬貨を扱えるタイプの売上金入金処理装置の場合には、硬貨の枚数データをそのまま使用することにより処理することが可能となる。
【図面の簡単な説明】
【００２２】
【図１】本発明に係る売上金入金処理装置の外観を示す図である。
【図２】本発明に係る売上金入金処理装置の内部を示す断面である。
【図３】本発明に係る売上金入金処理装置の制御系を示すブロック図である。
【図４】遊技店に設置される両替機及びその他の機器と、ホールコンピュータとのオンライン接続状況を示す図である。
【図５】売上金入金処理装置に送られる金額情報の算出過程を説明するための図である。
【図６】本発明に係る売上金入金処理装置による売上金入金処理の流れを示すフローチャートの一例である。
【図７】入金処理終了後の金額データを示す図である。
【符号の説明】
【００２３】
１  紙幣受入部
２  入力部
３  繰出搬送部
４  金種識別部
５  仕分部
６  結束部
７  束収納部
８  バラ収納部
９  紙幣カセット
１０  一時保留部
１１  制御部
１２  記憶部
１３  通信接続部
【図１】
2005261818.tif 000003
【図２】
2005261818.tif 000004
【図３】
2005261818.tif 000005
【図４】
2005261818.tif 000006
【図５】
2005261818.tif 000007
【図６】
2005261818.tif 000008
【図７】
2005261818.tif 000009